(57)【特許請求の範囲】
【請求項１】
蓄電素子と、
該蓄電素子と隣り合う隣接部材とを備え、
前記蓄電素子は、電極体を収容するケース本体であって、第一方向における少なくとも一方の端部において開口する胴部を有するケース本体と、前記開口を塞ぐ蓋体と、前記ケース本体に収容される電極体と、を備え、
前記胴部は、
前記第一方向における前記胴部の前記一方の端部及び他方の端部のうちの少なくとも何れか一つの端部に形成される厚肉部と、
少なくとも該胴部における前記第一方向の各端部の間の部分によって構成され且つ前記厚肉部よりも薄い薄肉部と、を有し、
前記隣接部材は、
前記第一方向に間隔をあけて並ぶと共に、それぞれが前記胴部に沿い且つ前記第一方向と直交する方向に沿って延びる一対のシール部と、
少なくとも前記第一方向における前記一対のシール部間において隣り合う前記蓄電素子に沿って広がるベースと、を有し、
前記一対のシール部のうちの一方のシール部が前記第一方向における前記薄肉部の一方の端部に密接すると共に、該一対のシール部のうちの他方のシール部が前記第一方向における前記薄肉部の他方の端部に密接することによって、前記ベースと前記一対のシール部と該一対のシール部が密接する前記薄肉部とによって流体が流通可能な通風領域が画定されている、
蓄電装置。
【請求項２】
前記一対のシール部のそれぞれは、該ベースから前記蓄電素子に向けて突出し、
前記厚肉部の外面は、前記薄肉部の外面よりも前記ベースに向かって突出している
請求項１に記載の蓄電装置。
【請求項３】
前記蓄電素子は、
前記蓋体の外面上に配置される外部端子を備え、
前記厚肉部は、前記第一方向における前記胴部の一方の端部に形成される第一の厚肉部を有する
請求項１又は請求項２に記載の蓄電装置。
【請求項４】
前記胴部は、前記第一の厚肉部に形成される溶接部を介して前記蓋体と接合される
請求項３に記載の蓄電装置。
【請求項５】
蓄電素子と、
該蓄電素子と隣り合うスペーサと、を備え、
前記蓄電素子は、電極体を収容するケース本体であって、第一方向における一方の端部において開口するケース本体と、前記開口を塞ぐ蓋体と、前記ケース本体に収容される電極体と、を備え、
前記ケース本体は、前記第一方向における前記ケース本体の前記一方の端部に形成される厚肉部と、前記第一方向における前記ケース本体の他方の端部及び各端部の間の部分によって構成され且つ該厚肉部よりも薄い薄肉部とを有するとともに、前記厚肉部に形成される溶接部を介して前記蓋体と接合され、
前記スペーサは、隣り合う前記蓄電素子に沿って広がるベースと、前記第一方向に間隔をあけて並ぶと共に、それぞれが前記薄肉部に沿い且つ前記第一方向と直交する方向に沿って延びる一対のシール部を有するとともに、該一対のシール部のそれぞれが前記ベースから突出し、且つ前記薄肉部の前記第一方向における各端部に密接することによって該スペーサと前記蓄電素子との間に流体を流通させる通風領域を画定し、
前記厚肉部の外面は、前記薄肉部よりも前記ベースに向かって突出する
蓄電装置。
【発明の詳細な説明】
【技術分野】
【０００１】
本発明は、蓄電素子を備える蓄電装置に関する。
【背景技術】
【０００２】
従来から、積層配置される複数の単電池と、隣接する単電池に挟持されるスペーサ部材とを備える組電池が知られている（例えば、特許文献１参照）。そして、かかる組電池では、各単電池を冷却するために、電池間の隙間に冷却風を送る冷却風通路が形成される。
【０００３】
より具体的に説明する。前記組電池において、スペーサ部材は、電池が積層される方向に延在する仕切り部と、単電池表面と平行に延在する連結部とを有する。そのため、隣接する単電池の間には、スペーサ部材の仕切り部と連結部、及び単電池表面によって、冷却風通路が形成される。
【０００４】
従って、前記組電池では、冷却風通路に送られる冷却風によって各単電池が冷却される。
【０００５】
ところで、前記単電池には、発電要素を収容する外装缶であって、開口端部と、該開口端部よりも薄い胴体部とを有する外装缶を備えるものがある（例えば、特許文献２参照）。この単電池では、開口端部が胴体部よりも肉厚であるため、開口端部と胴体部とが冷却風に曝されたときに、開口端部の内部の温度が胴体部の内部の温度よりも下がり難く、このため、該単電池の冷却効率が下がることがある。このような事象は、単電池を冷却する場合に限らず、単電池を加熱する場合にも生じ得る。
【先行技術文献】
【特許文献】
【０００６】
【特許文献１】特開２０１３−２０６６６６号公報
【特許文献２】再表９９／０２５０３６号公報
【発明の概要】
【発明が解決しようとする課題】
【０００７】
そこで、本発明は、蓄電素子の冷却又は加熱の効率の高い蓄電装置を提供することを目的とする。
【課題を解決するための手段】
【０００８】
本発明に係る蓄電装置は、
蓄電素子と、
該蓄電素子と隣り合う隣接部材とを備え、
前記蓄電素子は、電極体を収容するケース本体であって、第一方向における少なくとも一方の端部において開口する胴部を有するケース本体と、前記開口を塞ぐ蓋体と、を備え、
前記胴部は、
前記第一方向における前記胴部の前記一方の端部及び他方の端部のうちの少なくとも何れか一方の端部に形成される厚肉部と、
該厚肉部よりも薄い薄肉部とを有し、
前記隣接部材は、前記第一方向に間隔をあけて並ぶ一対のシール部を有し、
該一対のシール部のそれぞれは、前記薄肉部に密接する。
【０００９】
かかる構成によれば、蓄電素子と隣り合う隣接部材が第一方向に間隔をあけて並ぶ一対のシール部を有するため、該一対のシール部の間に蓄電素子を冷却又は加熱するための流体を流通させることができる。さらに、一対のシール部のそれぞれが薄肉部に密接するため、該一対のシール部によって、薄肉部の近傍を流れる前記流体が厚肉部の近傍に向かって流れることを抑制できる。
【００１０】
従って、前記蓄電装置では、前記流体を胴部のうちの薄肉部に対応する領域に集中させることによって、厚肉部よりも厚みの薄い薄肉部を積極的に冷却又は加熱できるため、蓄電素子の冷却又は加熱の効率を高めることができる。
【００１１】
前記蓄電装置において、
前記隣接部材は、隣り合う前記蓄電素子に沿って広がるベースを有し、
前記一対のシール部のそれぞれは、該ベースから前記蓄電素子に向けて突出し、
前記厚肉部の外面は、前記薄肉部の外面よりも前記ベースに向かって突出していてもよい。
【００１２】
シール部と薄肉部との間に隙間が生じると、前記流体が薄肉部の近傍から厚肉部の近傍に向かって流れるが、かかる構成によれば、厚肉部の外面は、薄肉部の外面よりもベースに向かって突出しているため、薄肉部の近傍から厚肉部の近傍に向かって流れる前記流体には圧力損失が生じる。
【００１３】
従って、シール部と薄肉部との間に隙間が生じたとしても、前記流体が薄肉部の近傍から厚肉部の近傍に向かって流れることが抑えられるため、前記流体が薄肉部の近傍に集中し易く、これにより、蓄電素子の冷却又は加熱の効率が高まり易い。この場合、前記厚肉部の外面は、前記第一方向において、前記薄肉部から離れた位置であるほど前記ベースに近くてもよい。かかる構成によれば、厚肉部の外面と隣接部材のベースとの間隔は、第一方向において薄肉部から離れた位置であるほど狭いため、薄肉部の近傍から厚肉部の近傍に向かって流れる前記流体に生じる圧力損失がより大きくなる。
【００１４】
前記蓄電装置において、
前記一方のシール部のうちの少なくとも一方のシール部は、前記薄肉部と、前記厚肉部とに密接してもよい。
【００１５】
かかる構成によれば、前記一方のシール部は、薄肉部と、厚肉部とに密接するため、前記流体が薄肉部の近傍から厚肉部の近傍に流れることがより確実に抑えられる。従って、前記流体が薄肉部の近傍に集中し易いため、蓄電素子の冷却又は加熱の効率が高まり易い。
【００１６】
前記蓄電装置において、
前記蓄電素子は、
前記蓋体の外面上に配置される外部端子を備え、
前記厚肉部は、前記第一方向における前記胴部の一方の端部に形成される第一の厚肉部を有していてもよい。
【００１７】
前記第一方向における前記胴部の他方の端部に形成される第一の厚肉部には、充放電時に生じる外部端子の熱が伝わり易いため、該第一の厚肉部の温度が上がり易いが、かかる構成によれば、薄肉部を積極的に冷却できるため、第一の厚肉部の熱が薄肉部に伝わり易い状態が維持される結果、第一の厚肉部の温度が下がり易くなる。従って、第一の厚肉部と薄肉部とが効率良く冷却されるため、蓄電素子の冷却効率がさらに高まる。
【００１８】
前記胴部は、前記第一の厚肉部に形成される溶接部を介して前記蓋体と接合されていてもよい。
【００１９】
かかる構成によれば、薄肉部よりも厚い第一の厚肉部に溶接部が形成されるため、該溶接部の溶接深さや、溶接面積を大きくし易い。従って、胴部と蓋体とにおける接合強度の向上や、溶接の品質の安定化を図ることができる。
【００２０】
前記隣接部材は、一対のシール部のそれぞれが前記薄肉部に密接することによって、該隣接部材と前記蓄電素子との間に流体を流通させる通風領域を画定してもよい。
【００２１】
かかる構成によれば、一対のシール部のそれぞれが薄肉部に密接することで隣接部材と蓄電素子との間に流体を流通させる通風領域を画定するため、該一対のシール部のそれぞれによって、該通風領域内を流通する前記流体が該通風領域外に流れることを抑制できる。すなわち、前記蓄電装置では、一対のシール部によって、薄肉部の近傍を流れる前記流体が厚肉部の近傍に向かって流れることを抑制できる。
【００２２】
従って、前記蓄電装置では、前記流体を胴部のうちの薄肉部に対応する通風領域に集中させることによって、厚肉部よりも厚みの薄い薄肉部を積極的に冷却又は加熱できるため、蓄電素子の冷却又は加熱の効率を高めることができる。
【００２３】
本発明に係る別の蓄電装置は、
蓄電素子と、
該蓄電素子と隣り合うスペーサと、を備え、
前記蓄電素子は、電極体を収容するケース本体であって、第一方向における一方の端部において開口するケース本体と、前記開口を塞ぐ蓋体と、を備え、
前記ケース本体は、前記第一方向における前記ケース本体の前記一方の端部に形成される厚肉部と、該厚肉部よりも薄い薄肉部とを有するとともに、前記厚肉部に形成される溶接部を介して前記蓋体と接合され、
前記スペーサは、隣り合う前記蓄電素子に沿って広がるベースと、前記第一方向に間隔をあけて並ぶ一対のシール部を有するとともに、該一対のシール部のそれぞれは、前記ベースから突出し、且つ前記薄肉部に密接することによって該スペーサと前記蓄電素子との間に流体を流通させる通風領域を画定し、
前記厚肉部の外面は、前記薄肉部よりも前記ベースに向かって突出している。
【００２４】
かかる構成によれば、一対のシール部のそれぞれが薄肉部に密接するため、該一対のシール部によって、前記流体が薄肉部近傍から厚肉部の近傍に向かって流れることを抑制できる。
【００２５】
従って、前記蓄電装置では、前記流体を胴部のうちの薄肉部に対応する領域に集中させることによって、厚肉部よりも厚みの薄い薄肉部を積極的に冷却又は加熱できるため、蓄電素子の冷却又は加熱の効率を高めることができる。
【発明の効果】
【００２６】
以上のように、本発明によれば、蓄電素子の冷却又は加熱の効率が高い蓄電装置を提供することができる。
【図面の簡単な説明】
【００２７】
【図１】図１は、本発明の一実施形態に係る蓄電装置の斜視図である。
【図２】図２は、同実施形態に係る蓄電装置の分解斜視図である。
【図３】図３は、同実施形態に係る蓄電装置の蓄電素子の斜視図である。
【図４】図４は、同実施形態に係る蓄電装置の蓄電素子と内部スペーサとの縦断面図である。
【図５】図５は、同実施形態に係る蓄電装置の蓄電素子と外部スペーサとの縦断面図である。
【図６】図６は、同実施形態に係る蓄電装置における内部スペーサのシール部を説明するための図である。
【図７】図７は、同実施形態に係る蓄電装置における外部スペーサのシール部を説明するための図である。
【図８】図８は、本発明の他の実施形態に係る蓄電装置における蓄電素子の形状を示す図である。
【図９】図９は、本発明の別の実施形態に係る蓄電装置における蓄電素子の形状を示す図である。
【図１０】図１０は、本発明のさらに別の実施形態に係る蓄電装置における内部スペーサの形状を示す図である。
【図１１】図１１は、本発明のさらに別の実施形態に係る蓄電装置における内部スペーサの形状を示す図である。
【発明を実施するための形態】
【００２８】
以下、本発明の蓄電装置の一実施形態について、図面を参照しつつ説明する。尚、本実施形態の各構成部材の名称は、本実施形態におけるものであり、背景技術における各構成部材の名称と異なる場合がある。
【００２９】
蓄電装置は、図１、及び図２に示すように、蓄電素子１と、該蓄電素子１に隣り合うスペーサ（隣接部材）２とを備える。また、蓄電装置は、蓄電素子１及びスペーサ２をひとまとめに保持する保持部材３を備える。保持部材３は、導電材料により成形される。これに伴い、蓄電装置は、蓄電素子１と保持部材３との間に配置されるインシュレータ４を備える。
【００３０】
蓄電素子１は、図３に示すように、正極及び負極を含む電極体を収容し且つ開口を有するケース本体１００を備える。また、蓄電素子１は、ケース本体１００の開口を塞ぐ蓋体１０１を備える。さらに、蓄電素子１は、ケース本体１００の外面上又は蓋体１０１の外面上に配置された一対の外部端子１１を備える。なお、本実施形態では、ケース本体１００及び蓋体１０１をケース１０と称して以下の説明を行う。
【００３１】
すなわち、ケース１０は、開口を有するケース本体１００を備える。また、ケース１０は、ケース本体１００の開口を閉じる蓋体１０１を有する。
【００３２】
図３、及び図４に示すように、ケース本体１００は、有底筒状である。より具体的に説明する。ケース本体１００は、板状の閉塞部１００ａであってケース３の内側を向く内面とケース３の外側を向く外面とを有する閉塞部１００ａと、閉塞部１００ａの周縁に接続される胴部１００ｂであって、閉塞部１００ａの内面側に延び且つ該内面を包囲する筒状の胴部１００ｂとを備える。
【００３３】
胴部１００ｂは、第一方向における一方の端部において開口する。そして、胴部１００ｂの第一方向における他方の端部は、閉塞部１００ａによって閉塞される。より具体的に説明する。本実施形態に係る胴部１００ｂは、間隔をあけて互いに対向する一対の第一壁１００ｃと、一対の第一壁１００ｃを挟んで互いに対向する一対の第二壁１００ｄとを備える。第一壁１００ｃの表面積は、第二壁１００ｄの表面積よりも広い。そのため、胴部１００ｂは、扁平角筒状である。
【００３４】
さらに、胴部１００ｂは、図４に示すように、第一方向における各端部のうちの少なくとも何れか一方の端部に形成される厚肉部１００ｅと、該厚肉部１００ｅよりも薄い薄肉部１００ｆとを有する。本実施形態における胴部１００ｂは、他方の端部に形成される厚肉部１００ｅと、該厚肉部１００ｅよりも薄い薄肉部１００ｆとを有する。すなわち、胴部１００ｂにおける他方の端部によって厚肉部１００ｅが構成され、胴部１００ｂにおける一方の端部、及び各端部の間の部分によって薄肉部１００ｆが構成される。
【００３５】
厚肉部１００ｅは、薄肉部１００ｆよりも外向きに張り出すように形成される。そのため、厚肉部１００ｅの外面は、薄肉部１００ｆの外面よりもスペーサ２に近い。また、厚肉部１００ｅの外面と、スペーサ２との間には、隙間が形成される。そのため、厚肉部１００ｅの外面とスペーサ２との間隔は、薄肉部１００ｆの外面とスペーサ２との間隔よりも狭い。
【００３６】
本実施形態において、厚肉部１００ｅの外面は、第一方向において薄肉部１００ｆから離れた位置であるほどスペーサ２に近い。すなわち、厚肉部１００ｅの外面は、第一方向において、薄肉部１００ｆの外面からスペーサ２に接近するように傾斜する。
【００３７】
本実施形態において、厚肉部１００ｅは、胴部１００ｂの各第一壁１００ｃと各第二壁１００ｄとに亘って形成される。より具体的に説明する。厚肉部１００ｅは、第一方向における各第一壁１００ｃの一方の端部と、第一方向における各第二壁１００ｄの一方の端部とに亘って形成される。さらに、厚肉部１００ｅは、胴部１００ｂの第一方向における一方の端部（胴部１００ｂの開口端縁部）の全周に亘って形成される。
【００３８】
そのため、各第一壁１００ｃにおいて、第一方向における一方の端部の厚みは、第一方向における他方の端部の厚みよりも厚い。また、各第二壁１００ｄにおいて、第一方向における一方の端部の厚みは、第一方向における他方の端部の厚みよりも厚い。
【００３９】
ケース本体１００は、各種加工方法により作製し得る。本実施形態では、ケース本体１００は、深絞り加工により形成される。
【００４０】
蓋体１０１のサイズ及び形態は、ケース本体１００の開口に対応する。本実施形態に係る蓄電素子１は、閉塞部１００ａが略長方形に形成されるに伴い、開口も略長方形に形成される。従って、本実施形態に係る蓋体１０１は、ケース本体１００の開口に対応して長方形状に形成される。
【００４１】
これに伴い、蓋体１０１は、長手方向の両端に短手方向に延びる一対の第一端縁を有する。また、蓋体１０１は、短手方向の両端に長手方向に延びる一対の第二端縁を有する。
【００４２】
蓋体１０１には、一対の外部端子１１が配置される。本実施形態において、蓋体１０１が長方形状に形成されるに伴い、一対の外部端子１１のそれぞれは、蓋体１０１における長手方向の両側の二箇所に配置される。通常、蓋体１０１における一対の端子位置には、ケース１０を内外に貫通した孔が設けられ、該孔に外部端子１１と電極体Ｄとを電気的に接続するための導電部材が挿通される。
【００４３】
蓋体１０１と、胴部１００ｂの厚肉部１００ｅとは、溶接されることによって互いに接合される。本実施形態では、蓋体１０１と、胴部１００ｂの厚肉部１００ｅとが溶接されることによって互いに接合される。そのため、本実施形態に係る蓄電素子１は、蓋体１０１と、胴部１００ｂの厚肉部１００ｅとを溶接することによって形成される溶接部１０２を有する。
【００４４】
溶接部１０２は、蓋体１０１の外周面と、厚肉部１００ｅの外周面とにレーザ光を照射することによって形成される。
【００４５】
本実施形態に係る蓄電装置は、複数の蓄電素子１を備える。複数の蓄電素子１のそれぞれは、一方向に整列する。本実施形態において、複数の蓄電素子１のそれぞれは、ケース１０の第一壁１００ｃを一方向に向けて整列する。蓄電装置は、隣り合う二つの蓄電素子１の外部端子１１同士を電気的に接続するバスバーを備える。
【００４６】
なお、以下の説明において、便宜上、蓄電素子１の整列する方向をＸ軸方向とする。また、蓄電素子１の整列する方向と直交する二軸方向のうちの一つの方向（第二方向）をＹ軸方向とし、残りの一つの方向（第一方向）をＺ軸方向とする。これに伴い、各図面には、Ｘ軸方向、Ｙ軸方向、及びＺ軸方向のそれぞれに対応する直交三軸（座標軸）が補助的に図示される。
【００４７】
スペーサ２は、絶縁性を有する。スペーサ２は、蓄電素子１のケース１０（胴部１００ｂの第一壁１００ｃ）と隣り合うベースと、シール部とを有する。また、スペーサ２は、
ベースに隣り合う蓄電素子１の位置ずれを防止する規制部とを有する。
【００４８】
スペーサ２について、より具体的に説明する。蓄電装置は、上述のように、複数の蓄電素子１を備える。これに伴い、蓄電装置は、図２に示すように、２種類のスペーサ２を備える。すなわち、蓄電装置は、スペーサ２として、二つの蓄電素子１間に配置されるスペーサ（以下、内部スペーサという）２Ａと、複数の蓄電素子１のうちの最も端にある蓄電素子１に隣り合うスペーサ（以下、外部スペーサという）２Ｂとを備える。
【００４９】
まず、内部スペーサ２Ａについて説明する。内部スペーサ２Ａは、図４に示すように、蓄電素子１（ケース本体１００の第一壁１００ｃ）に隣り合うベース２０Ａと、それぞれがＺ軸方向（胴部１００ｂの一対の端部が並ぶ方向）において間隔をあけて並ぶ一対のシール部２１Ａとを有する。また、内部スペーサ２Ａは、該ベース２０Ａに隣り合う二つの蓄電素子１の位置ずれを防止する規制部２２Ａを有する（図２参照）。
【００５０】
内部スペーサ２Ａのベース２０Ａは、隣り合う蓄電素子１（蓄電素子１の胴部１００ｂ）に沿って広がる。内部スペーサ２Ａのベース２０Ａは、二つの蓄電素子１に挟み込まれる。内部スペーサ２Ａのベース２０Ａは、隣り合う二つの蓄電素子１のうちの一方の蓄電素子１と対向する第一面と、該第一面とは反対側の第二面であって、二つの蓄電素子１のうちの他方の蓄電素子１と対向する第二面とを有する。
【００５１】
内部スペーサ２Ａのベース２０Ａは、隣り合う蓄電素子１（蓄電素子１の胴部１００ｂ）に沿って広がる。内部スペーサ２Ａのベース２０Ａは、隣り合う一対の蓄電素子１のうちの少なくとも何れか一方の蓄電素子１との間において、蓄電素子１を冷却又は加熱するための流体を通過させるための通風路２３Ａを形成する。本実施形態に係る内部スペーサ２Ａのベース２０Ａは、Ｚ軸方向において連続する矩形波形状に形成される。そのため、内部スペーサ２Ａのベース２０Ａは、Ｘ軸方向において隣り合う一対の蓄電素子１のそれぞれとの間に通風路２３Ａを形成する。
【００５２】
より具体的に説明する。蓄電素子１において、内部スペーサ２Ａのベース２０Ａは、隣り合う二つの蓄電素子１のうちの一方の蓄電素子１のみに当接する第一当接部２００Ａと、隣り合う二つの蓄電素子１のうちの他方の蓄電素子１のみに当接する第二当接部２０１Ａとを有する。これに伴い、内部スペーサ２Ａのベース２０Ａは、第一当接部２００Ａと第二当接部２０１Ａとに繋がる連接部２０２Ａを有する。
【００５３】
第一当接部２００Ａは、Ｙ軸方向に延びる。また、第一当接部２００Ａは、Ｙ軸方向における全長に亘って蓄電素子１の胴部１００ｂ（第一壁１００ｃ）に当接する。そして、第二当接部２０１Ａは、Ｙ軸方向に延びる。また、第二当接部２０１Ａは、Ｙ軸方向における全長に亘って蓄電素子１の胴部１００ｂ（第一壁１００ｃ）に当接する。
【００５４】
内部スペーサ２Ａのベース２０Ａは、複数の第一当接部２００Ａと、複数の第二当接部２０１Ａとを有する。そして、各第一当接部２００Ａと各第二当接部２０１Ａとは、Ｚ軸方向において交互に配置される。
【００５５】
これにより、蓄電装置では、第一当接部２００Ａにおける蓄電素子１と当接する面とは反対側の面と、第一当接部２００Ａに繋がる一対の連接部２０２Ａとによって、Ｙ軸方向において前記流体を流通させる複数の通風路２３Ａが形成される。また、蓄電装置では、第二当接部２０１Ａにおける蓄電素子１と当接する面とは反対側の面と、第二当接部２０１Ａに繋がる一対の連接部２０２Ａとによって、Ｙ軸方向において前記流体を流通させる複数の通風路２３Ａが形成される。このようにして、蓄電装置では、内部スペーサ２Ａのベース２０Ａの第一面と蓄電素子１との間、及び内部スペーサ２Ａのベース２０Ａの第二面と蓄電素子１との間のそれぞれに複数の通風路２３Ａが形成される。
【００５６】
なお、内部スペーサ２Ａのベース２０Ａと厚肉部１００ｅの外面との間には、隙間が形成されることが好ましい。このようにすれば、厚肉部１００ｅの外面が内部スペーサ２Ａのベース２０Ａに接触することによって、シール部２１Ａと薄肉部１００ｆとの密着性が低下することが抑制される。
【００５７】
一対のシール部２１Ａのそれぞれは、薄肉部１００ｆに密接することによって、互いの間に前記流体を流通させる通風領域を画定する。また、内部スペーサ２Ａでは、各第一当接部２００Ａと、各第二当接部２０１Ａと、各連接部２０２Ａとが一対のシール部２１Ａの間に配置される。従って、内部スペーサ２Ａでは、通風路２３Ａが一対のシール部２１Ａの間に形成される。
【００５８】
一対のシール部２１Ａのそれぞれは、Ｙ軸方向に延びる。より具体的に説明する。Ｙ軸方向における一対のシール部２１Ａの長さは、Ｙ軸方向における胴部１００ｂの第一壁１００ｃの長さと略同一である。これにより、本実施形態に係る蓄電素子１では、Ｙ軸方向における胴部１００ｂの第一壁１００ｃの略全長に亘って、一対のシール部２１Ａのそれぞれが密接するため、通風領域からの前記流体の流出が抑制される。
【００５９】
一対のシール部２１Ａのうちの一方のシール部２１Ａは、Ｚ軸方向における薄肉部１００ｆの一方の端部に密接し、一対のシール部２１Ａのうちの他方のシール部２１Ａは、Ｚ軸方向における薄肉部１００ｆの他方の端部に密接する。
【００６０】
各シール部２１Ａは、隣り合う蓄電素子１のそれぞれに密接する一対の封止部２１０Ａを有する。一対の封止部２１０Ａのそれぞれは、Ｘ軸方向においてベース２０Ａから互いに相反する方向に延出する。本実施形態において、一対の封止部２１０Ａのそれぞれは、Ｘ軸方向において互いに相反する方向に膨らむ円弧状である。これに伴い、一方のシール部２１Ａ（各封止部２１０Ａ）の一部と、厚肉部１００ｅの一部とは、Ｚ軸方向において互いに並ぶ。
【００６１】
なお、各蓄電素子１の電極体Ｄは、各シール部２１Ａのそれぞれの間に対応する位置に配置されることが好ましい。すなわち、各蓄電素子１の電極体Ｄは、Ｚ軸方向における一端からＺ軸方向における他端に亘って、一対のシール部２１Ａによって画定される通風領域と対応する領域内に配置されることが好ましい。このようにすれば、前記流体を通過させる通風領域と対応する領域内に電極体Ｄが配置されるため、電極体Ｄの冷却又は加熱の効率が高まる。
【００６２】
上述のように、内部スペーサ２Ａは、隣り合う二つの蓄電素子１の間に配置される。そのため、規制部２２Ａは、内部スペーサ２Ａに隣り合う二つの蓄電素子１の相対移動を規制すべく、内部スペーサ２Ａのベース２０Ａの第一面に隣り合う蓄電素子１と、内部スペーサ２Ａのベース２０Ａの第二面に隣り合う蓄電素子１とに向かって延びる。
【００６３】
本実施形態に係る蓄電装置は、上述のように、複数の蓄電素子１を備えるため、内部スペーサ２Ａは、隣り合う蓄電素子１の間のそれぞれに配置されている。すなわち、蓄電装置は、複数の内部スペーサ２Ａを備える。
【００６４】
次に、外部スペーサ２Ｂについて説明する。図５に示すように、外部スペーサ２Ｂは、蓄電素子１のケース本体１００（胴部１００ｂの第一壁１００ｃ）に対向する第一面及び該第一面とは反対側の第二面を有するベース２０Ｂと、シール部２１Ｂとを有する。該ベース２０Ｂに隣り合う蓄電素子１の位置を決定する規制部２２Ｂとを有する（図２参照）。
【００６５】
また、本実施形態に係る外部スペーサ２Ｂは、ベース２０Ｂと保持部材３（保持部材３の後述する終端部材３０）とが対向する。すなわち、外部スペーサ２Ｂは、蓄電素子１と終端部材３０との間に配置される。
【００６６】
外部スペーサ２Ｂは、ベース２０Ｂの第一面から蓄電素子１に向けて突出する突出部２００Ｂであって、該蓄電素子１に当接する突出部２００Ｂを有する。
【００６７】
上述のように、外部スペーサ２Ｂのベース２０Ｂは、隣り合う蓄電素子１に沿って広がる。すなわち、ベース２０Ｂは、プレート状に形成される。
【００６８】
外部スペーサ２Ｂのベース２０Ｂは、隣り合う蓄電素子１との間において、蓄電素子１を冷却又は加熱するための流体を通過させるための通風路２３Ｂを形成する。本実施形態における外部スペーサ２Ｂでは、ベース２０Ｂに隣り合う蓄電素子１に突出部２００Ｂが当接することによって、ベース２０Ｂと、該ベース２０Ｂに隣り合う蓄電素子１との間に通風路２３Ｂが形成される。
【００６９】
より具体的に説明する。突出部２００Ｂは、Ｙ軸方向に延びる。また、第一当接部２００Ａは、Ｙ軸方向における全長に亘って蓄電素子１の胴部１００ｂ（第一壁１００ｃ）に当接する。本実施形態に係る外部スペーサ２Ｂのベース２０Ｂは、複数の突出部２００Ｂを有する。そして、複数の突出部２００Ｂのそれぞれは、Ｚ軸方向において互いに間隔をあけて配置される。これにより、外部スペーサ２Ｂのベース２０Ｂと蓄電素子１との間には、Ｙ軸方向において前記流体を流通させる複数の通風路２３Ｂが形成される。
【００７０】
なお、厚肉部１００ｅの外面と外部スペーサ２Ｂのベース２０Ｂとの間にも、隙間が形成されることが好ましい。このようにすれば、厚肉部１００ｅの外面が外部スペーサ２Ｂのベース２０Ｂに接触することによって、シール部２１Ｂと薄肉部１００ｆとの密着性が低下することが抑制される。
【００７１】
一対のシール部２１Ｂのそれぞれは、薄肉部１００ｆに密接することによって、互いの間に前記流体を流通させる通風領域を画定する。また、外部スペーサ２Ｂでは、各突出部２００Ｂが一対のシール部２１Ｂの間に配置される。従って、外部スペーサ２Ｂでは、通風路２３Ｂが一対のシール部２１Ｂの間に形成される。
【００７２】
一対のシール部２１Ｂのそれぞれは、Ｙ軸方向に延びる。より具体的に説明する。Ｙ軸方向における一対のシール部２１Ｂの長さは、Ｙ軸方向における胴部１００ｂの第一壁１００ｃの長さと略同一である。これにより、本実施形態に係る蓄電素子１では、Ｙ軸方向における胴部１００ｂの第一壁１００ｃの略全長に亘って、一対のシール部２１Ｂのそれぞれが密接するため、通風領域からの前記流体の流出が抑制される。
【００７３】
一対のシール部２１Ｂのうちの一方のシール部２１Ｂは、Ｚ軸方向における薄肉部１００ｆの一方の端部に密接し、一対のシール部２１Ａのうちの他方のシール部２１Ｂは、Ｚ軸方向における薄肉部１００ｆの他方の端部に密接する。
【００７４】
各シール部２１Ｂは、隣り合う蓄電素子１のそれぞれに密接する封止部２１０Ｂを有する。封止部２１０Ｂは、Ｘ軸方向においてベース２０Ｂから隣り合う蓄電素子１に向けて延出する。本実施形態において、封止部２１０Ｂは、Ｘ軸方向においてベース２０Ｂから隣り合う蓄電素子１に向けて膨らむ円弧状である。これに伴い、一方のシール部２１Ｂ（封止部２１０Ｂ）の一部と、厚肉部１００ｅの一部とは、Ｚ軸方向において互いに並ぶ。
【００７５】
なお、各蓄電素子１の電極体Ｄは、各シール部２１Ｂのそれぞれの間に対応する位置に配置されることが好ましい。すなわち、各蓄電素子１の電極体Ｄは、Ｚ軸方向における一端からＺ軸方向における他端に亘って、一対のシール部２１Ｂによって画定される通風領域と対応する領域内に配置されることが好ましい。このようにすれば、前記流体を通過させる通風領域と対応する領域内に電極体Ｄが配置されるため、電極体Ｄの冷却又は加熱の効率が高まる。
【００７６】
上述のように、外部スペーサ２Ｂの第一面は、蓄電素子１と隣り合う。規制部２２Ｂは、外部スペーサ２Ｂの第一面に隣り合う蓄電素子１の相対移動を規制すべく、外部スペーサ２Ｂのベース２０Ｂの第一面と隣り合う蓄電素子１に向かって延びる。
【００７７】
本実施形態に係る外部スペーサ２Ｂは、上述のように、蓄電素子１を介して該内部スペーサ２Ａと隣り合うように配置される。すなわち、蓄電装置は、一対の外部スペーサ２Ｂを備える。外部スペーサ２Ｂは、複数の蓄電素子１のうちの最も端にある蓄電素子１に隣り合う。すなわち、外部スペーサ２Ｂは、整列する複数の蓄電素子１を挟み込むように一対設けられる。
【００７８】
また、一対の外部スペーサ２Ｂのそれぞれは、上述のように、第一面が蓄電素子１のケース本体１００と対向する。そのため、一対の外部スペーサ２Ｂのそれぞれは、互いの外部スペーサ２Ｂのベース２０Ｂの第一面同士が向かい合うようにして配置される。従って、蓄電装置において、一対の外部スペーサ２Ｂのそれぞれは、Ｘ軸方向において互いに対称となるように配置される。
【００７９】
本実施形態において、保持部材３は、金属製である。保持部材３は、図２に示すように、各外部スペーサ２Ｂと隣り合う位置のそれぞれに配置される一対の終端部材３０と、該一対の終端部材３０のそれぞれを接続する一対のフレーム３１とを備える。
【００８０】
一対の終端部材３０のそれぞれは、外部スペーサ２Ｂと対向する第一面と、該第一面とは反対側の第二面とを有する。一対の終端部材３０のそれぞれは、外部スペーサ２Ｂのベース２０Ｂに当接する圧接部３００を有する。
【００８１】
インシュレータ４は、絶縁性を有する材料で構成される。インシュレータ４は、各蓄電素子１に対して一対のフレーム３１のそれぞれを絶縁する一対の絶縁部４０を有する。
【００８２】
一対の絶縁部４０のうちの一方の絶縁部４０は、一対のフレーム３１のうちの一方のフレーム３１と蓄電素子１との間、及び該一方のフレーム３１とスペーサ２（内部スペーサ２Ａ及び外部スペーサ２Ｂ）との間に跨って配置される。
【００８３】
一対の絶縁部４０のうちの他方の絶縁部４０は、一対のフレーム３１のうちの他方のフレーム３１と蓄電素子１との間、及び該他方のフレーム３１とスペーサ２（内部スペーサ２Ａ及び外部スペーサ２Ｂ）との間に跨って配置される。
【００８４】
以上の蓄電装置によれば、各内部スペーサ２Ａは、図６に示すように、一対のシール部２１Ａのそれぞれが蓄電素子１の薄肉部１００ｆに密接するため、薄肉部１００ｆの近傍を流通する前記流体が厚肉部１００ｅの近傍に流れることを抑制できる。すなわち、薄肉部１００ａと対応する領域を流れる前記流体が厚肉部１００ｅと対応する領域に逃げることが抑制される。
【００８５】
また、各外部スペーサ２Ｂも、図７に示すように、一対のシール部２１Ｂのそれぞれが蓄電素子１の薄肉部１００ｆに密接するため、薄肉部１００ｆの近傍を流通する前記流体が厚肉部１００ｅの近傍に流れることが抑制される。
【００８６】
従って、蓄電装置では、前記流体を胴部１００ｂのうちの薄肉部１００ｆに対応する領域に集中させることによって、厚肉部１００ｅよりも厚みの薄い薄肉部１００ｆを積極的に冷却又は加熱できるため、蓄電素子１の冷却又は加熱の効率を高めることができる。
【００８７】
また、蓄電装置では、厚肉部１００ｅの外面とスペーサ２のベースとの間隔が薄肉部１００ｆの外面とスペーサ２との間隔よりも狭いため、シール部２１Ａと薄肉部１００ｆとの間に隙間が生じたとしても、薄肉部１００ｆの近傍を流通する前記流体が厚肉部１００ｅの近傍に向かって流れることが抑えられる。
【００８８】
より具体的に説明する。厚肉部１００ｅの外面と内部スペーサ２Ａのベース２０Ａとの間隔は、Ｚ軸方向において薄肉部１００ｆから離れた位置であるほど狭い。そのため、薄肉部１００ｆとシール部２１Ａとの間に生じた隙間を通じて薄肉部１００ｆの近傍から厚肉部１００ｅの近傍に向かって流れる流体には圧力損失が生じる。従って、内部スペーサ２Ａの一方のシール部２１Ａと薄肉部１００ｆとの間に隙間が生じたとしても、前記流体が薄肉部１００ｆの近傍から厚肉部１００ｅの近傍に向かって流れることが抑えられる。
【００８９】
また、厚肉部１００ｅの外面と外部スペーサ２Ｂのベース２０Ｂとの間隔は、Ｚ軸方向において薄肉部１００ｆから離れた位置であるほど狭い。薄肉部１００ｆとシール部２１Ｂとの間に生じた隙間を通じて薄肉部１００ｆの近傍から厚肉部１００ｅの近傍に向かって流れる前記流体には圧力損失が生じる。従って、外部スペーサ２Ｂの一方のシール部２１Ｂと薄肉部１００ｆとの間に隙間が生じたとしても、前記流体が薄肉部１００ｆの近傍から厚肉部１００ｅの近傍に向かって流れることが抑えられる。
【００９０】
このように、蓄電装置では、前記流体が薄肉部１００ｆの近傍から厚肉部１００ｅの近傍に向かって流れることが抑えられるため、蓄電素子１の冷却又は加熱の効率が低下し難い。
【００９１】
本実施形態に係る蓄電装置において、蓄電素子１は、充放電時に生じる外部端子１１の熱が胴部１００ｂの他方の端部に形成される厚肉部１００ｅに伝わり易いため、該厚肉部１００ｅの温度が上がり易いが、内部スペーサ２Ａの一対のシール部２１Ａの間（本実施形態では、通風路２３Ａ）、及び外部スペーサ２Ｂの一対のシール部２１Ｂの間（本実施形態では、通風路２３Ｂ）に蓄電素子１を冷却するための流体（冷却流体）を通過させる場合、薄肉部１００ｆが積極的に冷却されるため、厚肉部１００ｅの熱が薄肉部１００ｆに伝わり易い状態が維持される結果、厚肉部１００ｅの温度が下がり易くなる。従って、厚肉部１００ｅと薄肉部１００ｆとが効率良く冷却されるため、蓄電素子１の冷却効率がさらに高まる。
【００９２】
本実施形態に係る蓄電装置において、蓄電素子１は、薄肉部１００ｆよりも厚い第一の厚肉部１００ｅに対して溶接部１０２が形成されるため、溶接部１０２の溶接深さや、溶接面積を大きくし易い。従って、胴部１００ｂと蓋体１０１との接合強度を向上させたり、溶接の品質を安定化したりすることができる。
【００９３】
さらに、蓄電装置では、内部スペーサ２Ａ、及び外部スペーサ２Ｂのそれぞれによって、隣り合う蓄電素子１の薄肉部１００ｆの略全域に対応する領域に通風領域が画定されるため、蓄電素子１の薄肉部１００ｆの略全域を前記流体によって冷却又は加熱することによって、蓄電素子１の冷却又は加熱の効率をさらに高めることができる。
【００９４】
より具体的に説明する。内部スペーサ２Ａでは、一方のシール部２１ＡがＺ軸方向における薄肉部１００ｆの一方の端部に密接し、他方のシール部２１ＡがＺ軸方向における薄肉部１００ｆの他方の端部に密接するため、内部スペーサ２Ａの各シール部２１Ａによって、薄肉部１００ｆの略全域に対応する領域に通風領域が画定される。
【００９５】
そして、外部スペーサ２Ｂでは、一方のシール部２１ＢがＺ軸方向における薄肉部１００ｆの一方の端部に密接し、他方のシール部２１ＢがＺ軸方向における薄肉部１００ｆの他方の端部に密接するため、外部スペーサ２Ｂの各シール部２１Ｂによって、薄肉部１００ｆの略全域に対応する領域に通風領域が画定される。
【００９６】
従って、内部スペーサ２Ａが画定する通風領域や、外部スペーサ２Ｂが画定する通風領域を通過する前記流体によって、各蓄電素子１の薄肉部１００ｆの略全体が冷却又は加熱されるため、蓄電素子１の冷却又は加熱の効率がさらに高まる。
【００９７】
なお、本発明に係る蓄電装置は、上記一実施形態に限定されるものではなく、本発明の要旨を逸脱しない範囲において種々変更を行うことは勿論である。
【００９８】
上記実施形態において、胴部１００ｂは、板状の閉塞部１００ａの周縁から内面側に延びていたが、この構成に限定されない。例えば、胴部１００ｂは、Ｚ軸方向における両端において開口していてもよい。この場合、胴部１００ｂの各開口は、別々の蓋体１０１によって塞がれていればよい。また、胴部１００ｂと各蓋体１０１とは、溶接によって互いに接合されていればよい。
【００９９】
上記実施形態において、胴部１００ｂは、他方の端部に形成される厚肉部１００ｅを有するが、この構成に限定されない、例えば、図８に示すように、胴部１００ｂは、他方の端部に形成される第一の厚肉部１００ｅと、一方の端部に形成される第二の厚肉部１００ｅとを有していてもよい。
【０１００】
かかる構成の蓄電装置においても、内部スペーサ２Ａの各シール部２１Ａと、外部スペーサ２Ｂの各シール部２１Ｂとが薄肉部１００ｆに密接するため、厚肉部１００ｅと薄肉部１００ｆとが効率良く冷却され、蓄電素子１の冷却効率が高まる。なお、胴部１００ｂは、例えば、一方の端部に形成される第二の厚肉部１００ｅのみを有していてもよい。
【０１０１】
上記実施形態において、厚肉部１００ｅの外面は、薄肉部１００ｆから離れた位置であるほどスペーサ２に近付くように形成されるが、この構成に限定されない。例えば、図９に示すように、厚肉部１００ｅの外面と、薄肉部１００ｆの外面とは、互いの間に段差が生じるように形成されていてもよい。
【０１０２】
上記実施形態において、厚肉部１００ｅは、胴部１００ｂの他方の端部の全周に亘って形成されていたが、この構成に限定されない。例えば、厚肉部１００ｅは、胴部１００ｂの前記他方の端部のうちの各第一壁１００ｃに対応する部分のみに形成されていてもよい。
【０１０３】
上記実施形態において、内部スペーサ２Ａの一方のシール部２１Ａは、胴部１００ｂの薄肉部１００ｆのみに密接していたが、この構成に限定されない。例えば、図１０に示すように、内部スペーサ２Ａの一方のシール部２１Ａは、胴部１００ｂの薄肉部１００ｆに加えて、厚肉部１００ｅに密接していてもよい。
【０１０４】
このようにすれば、内部スペーサ２Ａの一方のシール部２１Ａは、薄肉部１００ｆの一方の端部と、胴部１００ｂの他方の端部に形成される厚肉部１００ｅとに密接するため、
前記流体が薄肉部１００ｆの近傍から厚肉部１００ｅの近傍に向かって流れることがより確実に抑えられる。すなわち、前記流体がＺ軸方向において通風領域から流出することがより確実に抑えられる。従って、前記流体が胴部１００ｂのうちの薄肉部１００ｆに対応する領域に集中し易いため、蓄電素子１の冷却又は加熱の効率が高まり易い。なお、胴部１００ｂの一方の端部に厚肉部１００ｅ（第二の厚肉部１００ｅ）が形成される場合、内部スペーサ２Ａの他方のシール部２１Ａは、胴部１００ｂの薄肉部１００ｆに加えて、該厚肉部１００ｅに密接していてもよい。
【０１０５】
また、外部スペーサ２Ｂの一方のシール部２１Ｂも、胴部１００ｂの薄肉部１００ｆのみに密接していたが、この構成に限定されない。例えば、外部スペーサ２Ｂの一方のシール部２１Ｂは、胴部１００ｂの薄肉部１００ｆに加えて、厚肉部１００ｅに密接していてもよい。なお、胴部１００ｂの一方の端部に厚肉部１００ｅ（第二の厚肉部１００ｅ）が形成される場合、外部スペーサ２Ｂの他方のシール部２１Ｂは、胴部１００ｂの薄肉部１００ｆに加えて、該厚肉部１００ｅに密接していてもよい。
【０１０６】
この場合、外部スペーサ２Ｂの一方のシール部２１Ｂは、薄肉部１００ｆの一方の端部と、胴部１００ｂの他方の端部に形成される厚肉部１００ｅとに密接するため、前記流体が薄肉部１００ｆの近傍から厚肉部１００ｅの近傍に向かって流れることがより確実に抑えられる。すなわち、前記流体がＺ軸方向において通風領域から流出することがより確実に抑えられる。従って、前記流体が胴部１００ｂのうちの薄肉部１００ｆに対応する領域に集中し易いため、蓄電素子１の冷却又は加熱の効率が高まり易い。
【０１０７】
上記実施形態において、厚肉部１００ｅは、薄肉部１００ｆよりも外向きに張り出すように形成されるが、この構成に限定されない。例えば、図１１に示すように、厚肉部１００ｅは、薄肉部１００ｆよりも内向きに張り出すように形成されてもよい。なお、厚肉部１００ｅでは、Ｚ軸方向において薄肉部１００ｆから離れた部分であるほど厚みが大きくなるように形成されてもよい。また、厚肉部１００ｅの内面と、薄肉部１００ｆの内面とは、互いの間に段差が生じるように形成されてもよい。
【０１０８】
上記実施形態において、内部スペーサ２Ａのベース２０Ａは、Ｘ軸方向において隣り合う一対の蓄電素子１のそれぞれとの間に通風路２３Ａを形成するが、この構成に限定されない。例えば、内部スペーサ２Ａのベース２０Ａは、Ｘ軸方向において隣り合う一方の蓄電素子１との間に通風路２３Ａを形成してもよい。
【０１０９】
上記実施形態において、内部スペーサ２Ａにおける各シール部２１Ａの封止部２１０Ａは、Ｘ軸方向において隣り合う蓄電素子１に向けて膨らむ円弧状に形成されるが、この構成に限定されない。例えば、内部スペーサ２Ａにおいて、各シール部２１Ａの封止部２１０Ａは、Ｘ軸方向において隣り合う蓄電素子１に向けて突出し且つＹ軸方向に延びる突起によって構成されていてもよい。
【０１１０】
また、上記実施形態において、外部スペーサ２Ｂにおける各シール部２１Ｂの封止部２１０Ｂは、Ｘ軸方向において隣り合う蓄電素子１に向けて膨らむ円弧状に形成されるが、この構成に限定されない。例えば、外部スペーサ２Ｂにおいて、各シール部２１Ｂの封止部２１０Ｂは、Ｘ軸方向において隣り合う蓄電素子１に向けて突出するリブ状に形成されていてもよい。
【０１１１】
上記実施形態において、蓄電装置は、複数の蓄電素子１を備えるが、この構成に限定されない。例えば、蓄電装置は、単一の蓄電素子１を備えていてもよい。この場合、蓄電装置は、Ｘ軸方向における蓄電素子１の両側に配置される一対の外部スペーサ２Ｂを備えていればよい。
【０１１２】
上記実施形態において、内部スペーサ２Ａのベース２０Ａは、矩形波形状にすることによって、該ベース２０Ａと蓄電素子１との間に通風路が形成されるが、この構成に限定されない。例えば、内部スペーサ２Ａのベース２０Ａは、第一面と蓄電素子１との間（第二面と蓄電素子１との間）に流体を通過させることができれば、ベース２０Ａの形状が矩形波形状であるものに限定されない。また、内部スペーサ２Ａのベース２０Ａと蓄電素子１との間に通風路を形成する必要がない場合、内部スペーサ２Ａのベース２０Ａは、平板状に形成されていてもよい。
【０１１３】
上記実施形態では、電極体Ｄは、ケース本体１００の内面に接触する構成であるが、この構成に限定されない。例えば、電極体Ｄは、ケース本体１００の内面に接触していない構成でもよく、絶縁性のシートを介して間接的にケース本体１００の内面に接触する構成でもよい。
【０１１４】
上記実施形態では、蓄電素子の種類を明記しなかったが、蓄電素子の種類は、限定されない。本実施形態に係る蓄電装置では、蓄電素子として、例えば、種々の二次電池、その他、一次電池や、電気二重層キャパシタ等のキャパシタを採用してもよい。
【符号の説明】
【０１１５】
１…蓄電素子、２…スペーサ、２Ａ…内部スペーサ、２Ｂ…外部スペーサ、３…保持部材、４…インシュレータ、１０…ケース、１１…外部端子、２０Ａ…ベース、２０Ｂ…ベース、２１Ａ…シール部、２１Ｂ…シール部、２２Ａ…規制部、２２Ｂ…規制部、２３Ａ…通風路、２３Ｂ…通風路、３０…終端部材、３１…フレーム、４０…絶縁部、１００…ケース本体、１００ａ…閉塞部、１００ｂ…胴部、１００ｃ…第一壁、１００ｄ…第二壁、１００ｅ…厚肉部、１００ｆ…薄肉部、１０１…蓋体、１０２…溶接部、２００Ａ…第一当接部、２００Ｂ…突出部、２０１Ａ…第二当接部、２０２Ａ…連接部、２１０Ａ…封止部、２１０Ｂ…封止部、３００…圧接部、Ｄ…電極体
【図１】
0006563680.tif 000002
【図２】
0006563680.tif 000003
【図３】
0006563680.tif 000004
【図４】
0006563680.tif 000005
【図５】
0006563680.tif 000006
【図６】
0006563680.tif 000007
【図７】
0006563680.tif 000008
【図８】
0006563680.tif 000009
【図９】
0006563680.tif 000010
【図１０】
0006563680.tif 000011
【図１１】
0006563680.tif 000012